(57)【特許請求の範囲】
【請求項１】
折板屋根の隣接する外装材の立ち上がり部間に跨って、少なくとも換気機能を有する外設装置を取り付けてなる換気構造において、
前記外設装置の水上側又は水下側には、被覆材が隣接状に配され、
前記外設装置と前記被覆材とは、裏面側には排水部材が配設されて接続されていることを特徴とする折板屋根の換気構造。
【請求項２】
外設装置の裏面側に、折板屋根の隣接する外装材の立ち上がり部間を連結する第１支持材が配設されていることを特徴とする請求項１に記載の折板屋根の換気構造。
【請求項３】
外設装置の水上側端部又は水下側端部には、排水部材を裏面側から支持する第２支持材が隣接する外装材の立ち上がり部間を連結するように配設されていることを特徴とする請求項１又は２に記載の折板屋根の換気構造。
【発明の詳細な説明】
【技術分野】
【０００１】
本発明は、効率的に換気が行え、折板屋根の有効性を高めることができ、実用的価値が高い折板屋根の換気構造に関する。
【背景技術】
【０００２】
従来より折板屋根は、比較的面強度の高い折板（金属製屋根材）にて勾配の緩やかな屋根面を構築するため、施工作業が容易であり、丈夫な屋根を構築できるという反面、屋根裏には空気や熱量、湿気が滞留するという問題があった。
そして、高温多湿の国内では、結露によるカビ・シミ等の原因となる多湿な空気（＝湿気）が屋根裏に籠もることは、住環境へ好ましからざる悪影響を与えてしまうため、この解決が望まれていた。
【０００３】
前記換気のためには、電動ファン等にて強制的に屋根裏に滞留した空気を拡散させる方法が知られているが、電源の確保や漏電といった問題もあるため、それらの問題を生じない自然換気が求められている。
自然換気を利用する構造としては、例えば特許文献１に、一部の折板の山頂部に複数の開口部を形成し、その折板を覆うように、側面にルーバーを備えた換気カバーを被冠状に固定してなる換気機構が提案されている。
【先行技術文献】
【特許文献】
【０００４】
【特許文献１】特開２０１０−３７８５４号公報
【発明の概要】
【発明が解決しようとする課題】
【０００５】
しかしながら、前記特許文献１の提案は、屋根面を構成する一部の折板に開口部を形成し、換気カバーを取り付ける構成であるため、十分な換気効果を上げることができない。即ち換気カバーの大きさは、屋根面の山部とほぼ同様であるから、多大な換気効果を得ようとする場合には、多くの山部に対してそれぞれ換気カバーを取り付ける必要があり、費用対効果が著しく低く、到底採用できないものであった。
【０００６】
そこで、本発明は、効率的に換気が行え、折板屋根の有効性を高めることができ、実用的価値が高い折板屋根の換気構造を提案することを目的とする。
【課題を解決するための手段】
【０００７】
本発明は、上記に鑑み提案されたものであって、折板屋根の隣接する外装材の立ち上がり部間に跨って、少なくとも換気機能を有する外設装置を取り付けてなる換気構造において、前記外設装置の水上側又は水下側には、被覆材が隣接状に配され、前記外設装置と前記被覆材とは、裏面側には排水部材が配設されて接続されていることを特徴とする折板屋根の換気構造に関するものである。
【０００８】
また、本発明は、前記換気構造において、外設装置の裏面側に、折板屋根の隣接する外装材の立ち上がり部間を連結する第１支持材が配設されていることを特徴とする折板屋根の換気構造をも提案する。
【０００９】
また、本発明は、前記換気構造において、外設装置の水上側端部又は水下側端部には、排水部材を裏面側から支持する第２支持材が隣接する外装材の立ち上がり部間に架設するように配設されていることを特徴とする折板屋根の換気構造をも提案する。
【発明の効果】
【００１０】
本発明の折板屋根の換気構造は、折板屋根の隣接する外装材の立ち上がり部間に跨って換気機能を有する外設装置を取り付けるものであり、屋根裏に滞留する熱気や空気、湿気を集めて外部へ放出することができ、換気効果が極めて高いものである。
また、外設装置の水上側又は水下側に隣接して被覆材を配するが、その接続部分から雨水等が浸入しようとしても、裏面側に配設された排水部材にて屋根面へ導かれるため、雨仕舞い性を低下させない換気構造を構築できるものである。
【００１１】
また、外設装置の裏面側に、折板屋根の隣接する外装材の立ち上がり部間を連結する第１支持材が配設されている場合には、隣接する外装材の立ち上がり部間の距離を一定に維持することができるため、外設装置や被覆材が外れることがない。
【００１２】
また、外設装置の水上側端部又は水下側端部に、排水部材を裏面側から支持する第２支持材が隣接する外装材の立ち上がり部間を連結するように配設されている場合には、前記第１支持材と同様の効果が果たされ、更に排水部材が安定に所定位置に配設されるため、前述の排水部材の効果、即ち排水（導水）効果が確実に且つ継続的に果たされる。
【図面の簡単な説明】
【００１３】
【図１】（ａ）本発明の換気構造の実施例を示す側面図（外設装置と被覆材との接続部分を拡大して付記した）、（ｂ）前記換気構造のＡ−Ａ線における断面図（外設装置の支持部分を拡大して付記した）である。
【図２】（ａ）折板屋根を構成する保持部材を示す拡大正面図、（ｂ）折板屋根を構成する屋根材を示す拡大正面図、（ｃ）換気構造を構成する排水部材を示す側面図及び正面図、（ｄ）換気構造を構成する第１支持材を示す側面図及び正面図、（ｅ）換気構造を構成する第２支持材を示す側面図及び正面図である。
【図３】実施例の換気構造の中央付近を示す拡大断面図である。
【図４】実施例の換気構造の端部付近を示す拡大断面図である。
【図５】（ａ）実施例の換気構造の施工手順を示し、隣接する外装材の立ち上がり部間を連結する第１支持材及び第２支持材を配設した状態を示す斜視図、（ｂ）更に排水部材及び固定板材を固定した状態を示す斜視図、（ｃ）更に外設装置を取り付けた状態を示す斜視図、（ｄ）被覆材を取り付けた状態を示す斜視図、（ｆ）実施例の換気構造（取り付けた外設装置の水下側に化粧面板を取り付けた状態）を拡大して示す斜視図である。
【発明を実施するための形態】
【００１４】
本発明の折板屋根の換気構造は、少なくとも換気機能を有する外設装置と、該外設装置に隣接して配される被覆材（化粧屋根材）と、前記外設装置と前記被覆材の裏面側に配される排水部材とからなる。
以下、各部材について説明する。
【００１５】
外設装置は、折板屋根の隣接する外装材の立ち上がり部間に跨って配設されるものであり、前述のように少なくとも換気機能を有する構成であればよく、ＰＶパネルや採光パネル等の併用でもよい。例えば左右に換気面を有し、該換気面は雨仕舞い性を備える構成としてもよく、この場合、折板屋根の隣接する外装材の立ち上がり部間に跨って配設されるので、折板屋根の山部より高い位置に配設され、各山部に滞留した熱気や空気、湿気を集める作用が果たされ、集めた熱気や空気、湿気を外設装置にて外部へ放出することができる。
この外設装置としては、後述する図示実施例のようにフレームの表面側及び裏面側に、断面が略Ｓ字状に形成される複数のルーバーを上下方向に多数段連続させた構成としてもよいし、前述のようにそれに限定されるものではなくＰＶパネルや採光パネル等の併用でもよい。
また、換気面は、後述する図示実施例に示すように左右にそれぞれ傾斜する構成でもよいし、左右にそれぞれ略垂直状の縦面を形成する構成でもよい。
【００１６】
また、この外設装置は、後述する図示実施例に示すように換気面の水上側及び水下側の各端部には、水上側から及び水下側から換気面の裏面側への風雨の吹き込みを防止する化粧面板をそれぞれ取り付けるようにしてもよい。
このように外設装置として化粧面板を取り付ける場合には、外設装置と後述する被覆材（化粧屋根材）との接続は、この化粧面板と被覆材との接続を意味するものとなる。
【００１７】
被覆材（化粧屋根材）は、折板屋根の隣接する外装材の立ち上がり部間を覆うように配設されるものであり、前述のように前記外設装置に隣接してその水上側又は水下側に配される構成である。
この被覆材としては、太陽電池等を一体化したものでも、ポリカーボネイト等の透光性を備えた透光材からなるものであってもよい。後述する図示実施例（図１（ａ））に示すように外設装置に隣接する端縁を立ち上げて水返し部とした構成でもよく、隣接する外装材の立ち上がり部間からの雨水の浸入を生じないものであれば、特に具体的構成を特定するものではなく、折板屋根を構成する屋根材と同一の素材にて成形されたものでもよい。
【００１８】
排水部材は、前述のように前記外設装置と前記被覆材の裏面側に配される構成であり、その接続部分から浸入しようとする雨水等を屋根面へ導く構成である。前述のように外設装置として化粧面板を取り付けている場合には、この化粧面板及び被覆材のそれぞれから侵入する雨水が、排水部材を経由して屋根面（左右の谷部）に導かれる。
この排水部材としては、具体的には、後述する図示実施例に示すように長さ方向の両側縁が折り返され、その両端縁が屋根面（左右の谷部）に臨んでいる構成のものが用いられる。
【００１９】
また、前記外設装置の裏面側に、折板屋根の隣接する外装材の立ち上がり部間を連結する第１支持材を配設してもよい。この第１支持材は、隣接する外装材の立ち上がり部間の距離を一定に維持することを目的として配設するものであるから、折板屋根を構成する屋根材よりも高強度の材料を用いることが望ましく、適宜間隔にて複数配設してもよく、隣接する外装材の立ち上がり部間の距離の伸縮による外設装置や被覆材の外れを防止することができる。
なお、この第１支持材自体の構成、並びにその取付構成については何等限定するものではなく、後述する図示実施例のように断面略Ｕ字状に成形してもよいし、単に板状でもよく、また隣接する外装材の立ち上がり部間に上方から取り付ける構成でも、下方から吊り固定するものでもよい。
【００２０】
また、前記外設装置の水上側端部又は水下側端部に、排水部材を裏面側から支持する第２支持材が隣接する外装材の立ち上がり部間を連結するように配設されてもよい。この第２支持材は、前記第１支持材と同様の効果が果たされ、前記第１支持材と同様に折板屋根を構成する屋根材よりも高強度の材料を用いることが望ましい。さらに、この第２支持材は、排水部材が安定に所定位置に配設されるため、前述の排水部材の効果、即ち排水（導水）効果が確実に且つ継続的に果たされ、前記外設装置と前記被覆材との接続部分の雨仕舞い性が継続的に保たれる。
なお、この第２支持材自体の構成、並びにその取付構成については何等限定するものではなく、後述する図示実施例のように断面略Ｕ字状に成形してもよいし、単に板状でもよく、隣接する外装材の立ち上がり部間に上方から取り付ける構成でも、下方から吊り固定するものでもよい。
【００２１】
なお、本発明の換気構造が取り付けられる折板屋根は、山部及び谷部が連続する屋根面が形成されるように折り曲げ加工された屋根材（折板）を用いて敷設されたものであって、特にその具体的構成を限定するものではない。
【００２２】
これらの各部材から構成される本発明の折板屋根の換気構造は、折板屋根の隣接する外装材の立ち上がり部間に跨って外設装置を取り付けるものであり、屋根裏に滞留する熱気や空気、湿気を集めて外部へ放出することができ、換気効果が極めて高い。
また、外設装置の水上側又は水下側に隣接して被覆材を配するが、その接続部分から雨水等が浸入しようとしても、裏面側に配設された排水部材にて屋根面へ導かれるので、雨仕舞い性が高いものである。
【実施例】
【００２３】
本発明の折板屋根の換気構造は、図１（ａ）に示す実施例のように折板屋根１の隣接する外装材１Ｄ，１Ｄの立ち上がり部１０，１０間に跨って、換気機能を有する外設装置２として左右に傾斜する換気面２０，２０を備える換気装置を取り付けてなる構成であって、前記外設装置２の水上側又は水下側に隣接して被覆材（化粧屋根材）３，３が配され、前記外設装置２と前記被覆材３とは、裏面側には排水部材４が配設されて接続されている。
【００２４】
前記折板屋根１は、図１（ａ）に示すように躯体１Ａ上に保持部材（１Ｂ，１Ｃ）を固定し、該保持部材（１Ｂ，１Ｃ）に比較的面強度の高い折板である外装材１Ｄ，１Ｄの左右の側縁を保持させた構成であり、前記外設装置２を取り付けない部分では、図示しないキャップ材を取り付けてなる構成であって、外装材１Ｄは、立ち上がり部１０と平板部１１が連続する構成であって、隣接する外装材１Ｄ，１Ｄの立ち上がり部１０，１０にて山部が形成され、前記平板部１１が谷部となる勾配の緩やかな屋根面を構成するものである。前記外設装置２を取り付ける部分では、左右に隣接する外装材１Ｄ，１Ｄの一部を非敷設状態として、該部分に外設装置２を配することで構築する。
【００２５】
前記保持部材（１Ｂ，１Ｃ）は、図２（ａ）に示すように略左右対称の部材であって、躯体１Ａに固定する略門型のタイトフレーム１Ｂと、該タイトフレーム１Ｂの略中央の山頂片に下方からボルトナットにて留め付けた受支材１Ｃとからなる。
タイトフレーム１Ｂは、例えば短幅の帯状鋼材を折り曲げ成形してなり、略中央の山頂片１２１から左右に脚部１２２を有し、各脚部１２２の下端に下面が躯体１Ａと接する固定部１２３を有する構成である。
受支材１Ｃは、略垂直状に起立する受支面１３１を前後に有する側断面略Ｕ字状のピース材であり、各受支面１３１の下方には左右に張り出した部分が形成され、その下方が外装材１Ｄの第１嵌合部１４３が嵌合する被嵌合部１３２である。また、受支面１３１の上縁を前後方向に折り曲げ（被支持部１３３）、外装材１Ｄの裏面を安定に保持できるようにしている。さらに、この受支面１３１の略中央上端には、外装材１Ｄの断面略Ｕ字状の第２嵌合部を上方から嵌合可能な矩形状の溝部１３４が設けられている。なお、前後の受支面１３１，１３１をつなぐ底面１３５は、前記タイトフレーム１Ｂの山頂片１２１に下方から組み付けられ、該底面１３５に予め設けられた通孔にボルト・ナットである連結具１Ｅにて一体的に連結されている。
【００２６】
前記保持部材（１Ｂ，１Ｃ）に保持させる外装材１Ｄは、化粧鋼板、ステンレス、アルミニウム合金等の金属、樹脂、或いはその他の複合素材からなり、図２（ｂ）に示すように略平坦状の平板部１１の左右の側縁に左右対称の傾斜状の立ち上がり部１０を有する縦葺き式の折板であり、この立ち上がり部１０の高さの途中には、前記受支材１Ｃに嵌合状に取り付けるための第１嵌合部１４３が設けられ、該第１嵌合部１４３の上方に、前記受支材１Ｃの被支持部１３３に支持される部分（支持部１４４）を介し、その先端には、前記受支材１Ｃの略中央上端に形成された溝部１３４に上方から嵌合させる断面略Ｕ字状の第２嵌合部１４５を有する構成である。
【００２７】
なお、図示していないが、前記外装材１Ｄと共に外装面を形成するキャップ材は、左右方向に隣接する外装材１Ｄ，１Ｄの立ち上がり部１０，１０間に配設されるものであって、前記外装材１Ｄと同様な素材から成形されるものであり、略傘状の化粧部の左右の側縁に内側へ略く字状に成形した嵌合部を、前記外装材１Ｄ，１Ｄの第１嵌合部１４３，１４３の裏面に嵌合させて取り付けられる構成である。そのため、このキャップ材は、上方から隣接する外装材１Ｄ，１Ｄの立ち上がり部１０，１０にて形成される山部へ押圧するように配設するだけで弾性的に嵌合させて取り付けることができる。
また、図中、１Ｆ〜１Ｉはこの折板屋根１へ、後述する外設装置２を一体的に取り付けるための部材である。
まず、外装材１Ｄへビスにて固定される下方傾斜面と、外装材１Ｄを貫通して受支材１Ｃへビスにて固定される上方傾斜面と略鉛直状に起立する縦面とからなる固定板材１Ｆを、外装材１Ｄにビス固定する。
その後、前記固定板材１Ｆには、断面略Ｌ字状の規制材１Ｇが載置状に固定され、これらの固定板材１Ｆの縦面及び規制材１Ｇの縦片とで形成される溝状部分に、上方から挿着可能な下向き片を備える連結材１Ｈを嵌め付けて前記固定板材１Ｆと外設装置２のフレーム２２の内側最下端とを連結する。
さらに、フレーム２２の外側最下端には、最下段のルーバー２１と共に覆い材１Ｉをビス止めして外設装置２の側方からの雨水の吹きつけを防止している。
【００２８】
前記外設装置（換気装置）２は、図３及び図４に示すように前記折板屋根１の隣接する外装材１Ｄ，１Ｄの立ち上がり部１０，１０間に跨って配設されるものであり、前述のように左右に傾斜する換気面２０，２０を有し、該換気面２０は雨仕舞い性を備える構成であり、具体的には図１（ｂ）に示すように傾斜状に組み付けたフレーム２２の表面側及び裏面側に、断面が略Ｓ字状に形成される複数のルーバー２１を上下方向に多数段連続させて固定した。
上記ルーバー２１は、上端及び下端にそれぞれ折り返し状の水返しが設けられ、外面側から見て上半に凹部が、下半に凸部が位置するように配設され、凸部の外面をフレーム２２にビス止め固定しており、さらに、各ルーバー２１は、その上端が上段側のルーバー２１の凸部内に非接触状に位置し、その下端が下段側のルーバー２１の凹部内に非接触状に位置するように配設されるものである。
なお、図中、２Ｂは左右の換気面２０，２０の最上段のルーバー２１，２１間を覆う頂部化粧材であり、２３は左右の換気面２０，２０を構成するフレーム２２，２２の上端を連結する連結金具である。
このような構成の換気面２０は、雨水及び太陽光の裏側空間への侵入を防止すると共に空気の排出を行うことができる。
【００２９】
また、図示実施例の外設装置２は、前記傾斜状の換気面２０，２０の水上側及び水下側の各端部に、水上側から及び水下側から換気面２０，２０の裏面側への風雨の吹き込みを防止する化粧面板２Ｃ，２Ｃをそれぞれ取り付けるようにした。
この化粧面板２Ｃは、前記左右の傾斜状の換気面２０，２０の水上側の端部、水下側の端部にそれぞれ形成される略三角形状の空間を塞ぐ形状を備え、その下端には外方側へ延在する水返し２３１を備える形状であり、該水返し２３１は後述する被覆材（化粧屋根材）３の水返し部３２に重合状に沿うように取り付けられる。
したがって、この化粧面板２Ｃに水上側又は水下側から雨水が吹き付けられてその表面をつたって流下する場合には、当該雨水は水返し２３１から被覆材３上に導かれ、該被覆材３上を流下するものとなる。
【００３０】
被覆材（化粧屋根材）３は、前記折板屋根２の隣接する外装材１Ｄ，１Ｄの立ち上がり部１０，１０間を覆うように配設されるものであり、前述のように前記外設装置２に隣接してその水上側又は水下側に配される構成であり、前記折板屋根１を構成する外装材１Ｄと同一の素材にて成形されたものである。
図示実施例の被覆材３は、後述する図５（ｄ）、（ｆ）に示すように隣接する外装材１Ｄ，１Ｄの立ち上がり部１０，１０間を覆う断面山状の面板部３１の左右の側縁に内側へ略く字状に成形した嵌合部３３を、前記外装材１Ｄ，１Ｄの第１嵌合部１４３，１４３の裏面に嵌合させて取り付けられる構成であって、水流れ方向の端縁については、外設装置２に隣接する端縁を略垂直状に立ち上げて水返し部３２，３２とした構成である。そのため、この被覆材３は、前記キャップ材と同様に上方から隣接する外装材１Ｄ，１Ｄの立ち上がり部１０，１０に押圧するように配設するだけで弾性的に嵌合させて取り付けることができる。
【００３１】
排水部材４は、前述のように前記外設装置２と前記被覆材３の裏面側に配される構成であり、その接続部分から浸入しようとする雨水等を屋根面へ導く構成である。
図示実施例では、前記外設装置２に化粧面板２Ｃを取り付けているので、この化粧面板２Ｃ及び被覆材３の接続部分から雨水が裏面側に回り込んだとしても、当該雨水は、この排水部材４を経由して左右の外装材１Ｄ，１Ｄへ導かれる。
この排水部材４としては、図２（ｃ）に示すように隣接する隣接する外装材１Ｄ，１Ｄの立ち上がり部１０，１０間に跨る断面山状の排水部４１の長さ方向の両側縁が折り返され（水返し部４２，４２）、その長さ方向の両端部が立ち上がり部１０，１０間に架設されて第１嵌合部１４３の上半に臨んでいる。また、この排水部材４は、後述する第２支持材６に裏面側から支持される状態で所定位置に取り付けられている。
【００３２】
また、図示実施例では、図３に示すように前記外設装置２の裏面側に、折板屋根１の隣接する外装材１Ｄ，１Ｄの立ち上がり部１０，１０間に複数の第１支持材５を配設している。
この第１支持材５は、図２（ｄ）に示すように断面Ｕ字状に成形され、隣接する外装材１Ｄ，１Ｄの立ち上がり部１０，１０間の距離を一定に維持することを目的として配設するものであるから、折板屋根１を構成する外装材１Ｄよりも高強度の金属素材にて構成されている。
そして、この第１支持材５は、前述のように固定した固定板材１Ｆに上方からビス止めした取付具５ｂを介して、下方から固定具５ｃで吊り固定してもよいし、予め取付具５ｂ及び固定具５ｃにて第１支持材５を一体化させた後、固定板材１Ｆに固定するようにしてもよい。即ち前述のように固定板材１Ｆは、前記保持部材（１Ｂ、１Ｃ）に上方から取り付けた部材であるが、ここでは前記保持部材（１Ｂ，１Ｃ）を構成する受支材１Ｃと全く同一構成の取付具５ｂを下方から固定板材１Ｆに取り付け、この取付具５ｂを介して第１支持材５を固定するものである。なお、上記取付具５ｂは、前記保持部材（１Ｂ，１Ｃ）を構成する受支材１Ｃと全く同一構成であるため、部材の使い回しができ、その底面（１３５）に予め設けられて通孔に固定具５ｃにて一体的に連結されている。
【００３３】
また、図示実施例では、図４に示すように前記外設装置２の水上側端部及び水下側端部に、前記排水部材４を裏面側から支持する第２支持材６を隣接する外装材１Ｄ，１Ｄの立ち上がり部１０，１０間を連結するように配設している。
この第２支持材６は、略垂直状に起立する縦面６１，６１を前後に有し、その下端を繋ぐ横面６２を備える断面略Ｕ字状に成形され、各縦面６１の上縁を前後方向に折り曲げて支持フランジ６３を形成した構成である。前記各縦面６１は、左右の端部に比べて中央部分が幅広に形成される形状であって、左右の端部には、前記受支材１Ｃの受支面１３１の外側を模した形状の側縦面６１１が形成されている。
そして、この第２支持材６は、それ自体に前記取付具５ｂの構成（側縦面６１１）を備えるので、前述のように固定した固定板材１Ｆに上方からビス止めして直接的に固定することができる。
なお、前記支持フランジ６３は、その左右の端部において前記固定板材１Ｆに固定するビスが打ち込まれるが、それ以外の部分では、前記排水部材４を裏面から支持する役割を果たす。
【００３４】
この実施例の換気構造の施工手順は、図５（ａ）〜（ｆ）の通りである。
まず、図５（ａ）に示すように、折板屋根の隣接する外装材１Ｄ，１Ｄの立ち上がり部１０，１０間に、前記第１支持材５及び前記第２支持材６を取り付ける。その際、第１支持材５は、流れ方向に所定間隔にて複数配し、第２支持材６は、取り付け想定される外設装置２の水下側端に位置するように取り付けた。
次に、図５（ｂ）に示すように、前記排水部材４を第２支持材６に裏面側から支持される状態で取り付け、その長さ方向の両端縁を第１嵌合部１４３の上半に臨ませた。また、固定板材１Ｆ，１Ｆを外装材１Ｄ，１Ｄにビス固定した。
続いて、図５（ｃ）に示すように、隣接する外装材１Ｄ，１Ｄの立ち上がり部１０，１０間に前記外設装置２を組み付け固定した。
その後、図５（ｄ）に示すように、外設装置２の水下側に隣接させて前記構成の被覆材３を隣接する外装材１Ｄ，１Ｄの立ち上がり部１０，１０間を覆うように取り付けた。具体的には、被覆材３を所定位置に配した状態から、隣接する外装材１Ｄ，１Ｄの立ち上がり部１０，１０に押圧するだけで弾性的に嵌合させて取り付けることができた。
最後に、図５（ｆ）に示すように、前記外設装置２への雨水の吹き込みを防止するためにその水下側の端部に前記化粧面板２Ｃを取り付けると共に外設装置２の頂部に頂部化粧材２Ｂを取り付けて図示実施例の換気構造を施工した。
【００３５】
このように施工される図示実施例の折板屋根１の換気構造は、折板屋根１の隣接する外装材１Ｄ，１Ｄの立ち上がり部１０，１０間に跨って外設装置２を取り付けるものであり、それ以前の高さレベルの最上位に位置する山部の更に上方に外設装置２を取り付けるので、屋根裏に滞留する熱気や空気、湿気を集めて外部へ放出することができ、換気効果が極めて高いものである。
また、外設装置２の水上側及び水下側に隣接して被覆材（化粧屋根材）３，３を配したので、その接続部分から雨水等が浸入しようとしても、裏面側に配設された排水部材４，４にて屋根面（谷部１１，１１）へ導かれるため、雨仕舞い性を低下させない換気構造を構築できるものである。
【００３６】
また、図示実施例では、外設装置２の裏面側に、折板屋根１の隣接する外装材１Ｄ，１Ｄの立ち上がり部１０，１０間に跨って第１支持材５を配設したので、隣接する外装材１Ｄ，１Ｄの立ち上がり部１０，１０間の距離を一定に維持することができるため、外設装置２や被覆材３が外れることがない。
【００３７】
さらに、図示実施例では、外設装置２の水上側端部及び水下側端部に、排水部材４，４を裏面側から支持する第２支持材６，６を隣接する外装材１Ｄ，１Ｄの立ち上がり部１０，１０間を連結するように配設したので、前記第１支持材５と同様の効果が果たされ、更に排水部材４が安定に所定位置に配設されるため、前述の排水部材４の効果、即ち排水（導水）効果が確実に且つ継続的に果たされる。
【符号の説明】
【００３８】
１  折板屋根
１Ｂ  タイトフレーム
１Ｃ  受支材
１Ｄ  外装材
１Ｆ  固定板材
１０  立ち上がり部
１１  平板部
２  外設装置
２Ｂ  頂部化粧材
２Ｃ  化粧面板
２０  換気面
２１  ルーバー
２２  フレーム
３  被覆材（化粧屋根材）
３１  面板部
３２  水返し部
３３  嵌合部
４  排水部材
４１  排水部
４２  水返し部
５  第１支持材
５ｂ  取付具
５ｃ  固定具
６  第２支持材
６１  縦面
６１１  側縦面
６２  横面
６３  支持フランジ
【図１】
0005382369.tif 000002
【図２】
0005382369.tif 000003
【図３】
0005382369.tif 000004
【図４】
0005382369.tif 000005
【図５】
0005382369.tif 000006